(57)【要約】【課題】各メディアへ差し込み印刷を可能にしつつ印刷内容をメディア発行前に容易に確認することができるようにする。【解決手段】メディア処理装置１は、ディスク毎に差し込み印刷する印刷画像を指定する発行内容指定ファイルを取得し、このファイルに基づいて、発行対象のディスクに差し込み印刷する印刷内容を特定し、特定した印刷内容と、前記ディスクに記録する記録データとの組み合わせを示すイメージ画像を有する画面ＧＭ５を表示させ、発行処理が指示された場合に、その組み合わせとなるようにデータ記録と印刷とを実行する。【選択図】図５
2014099221.tif 000002
【特許請求の範囲】
【請求項１】
電子機器を制御して、データを記録可能なメディアに対し、データ記録と印刷とを含む発行処理を実行させる制御装置において、
前記メディア毎に差し込み印刷する印刷内容を指定する発行内容指定データを取得する情報取得部と、
前記発行内容指定データに基づいて発行対象の前記メディアに印刷する印刷内容を特定し、特定した印刷内容と、前記メディアに記録する記録データとの組み合わせを示すイメージ画像を表示させる表示制御部と、
前記発行処理が指示された場合に、前記表示制御部が特定した印刷内容と前記記録データとの前記組み合わせとなるように、前記電子機器にデータ記録と印刷とを実行させる発行処理実行部とを備えることを特徴とする制御装置。
【請求項２】
前記表示制御部は、前記発行処理の指示を受け付け可能な操作画面内に、前記イメージ画像を表示させることを特徴とする請求項１に記載の制御装置。
【請求項３】
前記表示制御部は、前記イメージ画像として、差し込み印刷した場合の印刷イメージ画像と、前記記録データのファイル構造とを表示させることを特徴とする請求項１又は２に記載の制御装置。
【請求項４】
前記発行内容指定データは、少なくとも複数の前記メディアに差し込み印刷する文字情報を含むテキストファイル形式のデータであることを特徴とする請求項１又は２に記載の制御装置。
【請求項５】
前記発行内容指定データは、差し込み印刷する印刷内容に対応する文字情報と、前記記録データの記憶先に対応する文字情報とをひとまとめにしたテキストデータ群を、所定順で記述したデータであることを特徴とする請求項４に記載の制御装置。
【請求項６】
前記情報取得部は、複数の前記メディアに共通して記録又は印刷させる共通情報の指定を受け付け可能に構成され、
前記発行内容指定データは、前記メディア毎に個別で記録又は印刷させる個別情報を指定する情報を含み、
前記発行処理実行部は、前記共通情報の指定を受け付けた場合に、指定された共通情報と、前記発行内容指定データによって個別に指定される個別情報とを含めるようにデータ記録又は印刷を実行させることを特徴とする請求項１乃至５のいずれか一項に記載の制御装置。
【請求項７】
データを記録可能なメディアに対し、データ記録と印刷とを含む発行処理を実行するメディア処理装置において、
前記メディア毎に差し込み印刷する印刷内容を指定する発行内容指定データを取得する情報取得部と、
前記発行内容指定データに基づいて発行対象の前記メディアに印刷する印刷内容を特定し、特定した印刷内容と、前記メディアに記録する記録データとの組み合わせを示すイメージ画像を表示させる表示制御部と、
前記発行処理が指示された場合に、前記表示制御部が特定した印刷内容と前記記録データとの前記組み合わせとなるようにデータ記録と印刷とを実行する発行処理実行部とを備えることを特徴とするメディア処理装置。
【請求項８】
データを記録可能なメディアに対し、データ記録と印刷とを含む発行処理を実行する電子機器の制御方法において、
前記メディア毎に差し込み印刷する印刷内容を指定する発行内容指定データを取得する取得ステップと、
前記発行内容指定データに基づいて発行対象の前記メディアに印刷する印刷内容を特定し、特定した印刷内容と、前記メディアに記録する記録データとの組み合わせを示すイメージ画像を表示させる表示ステップと、
前記発行処理が指示された場合に、特定した印刷内容と前記記録データとの前記組み合わせとなるようにデータ記録と印刷とを実行させる発行ステップとを実行することを特徴とする電子機器の制御方法。
【請求項９】
電子機器を制御して、データを記録可能なメディアに対しデータ記録と印刷とを含む発行処理を実行させるコンピューターにより実行される制御プログラムにおいて、
前記コンピューターを、前記メディア毎に差し込み印刷する印刷内容を指定する発行内容指定データを取得する情報取得部と、
前記発行内容指定データに基づいて発行対象の前記メディアに印刷する印刷内容を特定し、特定した印刷内容と、前記メディアに記録する記録データとの組み合わせを示すイメージ画像を表示させる表示制御部と、
前記発行処理が指示された場合に、前記表示制御部が特定した印刷内容と前記記録データとの前記組み合わせとなるように、前記電子機器にデータ記録と印刷とを実行させる発行処理実行部として機能させることを特徴とする制御プログラム。
【発明の詳細な説明】
【技術分野】
【０００１】
本発明は、データを記録可能なメディアにデータ記録と印刷とを含む発行処理を実行させる制御装置、メディア処理装置、電子機器の制御方法および制御プログラムに関する。
【背景技術】
【０００２】
従来、メディア処理装置として、ＣＤやＤＶＤ等の光ディスク型の記録メディアに対し、データ記録と印刷を行うメディア発行装置（パブリッシャー）と、メディア発行装置に接続されるホスト装置（制御装置）を備えるものが知られている（例えば、特許文献１参照）。
この種のシステムには、複数のメディアの記録面に書き込む記録データの指定やレーベル面に印刷する印刷画像の指定を行うディスク作成用アプリケーションを有し、このアプリケーションのスケジューリングに則ってデータ記録や印刷を行うことによって、記録データや印刷画像が異なるメディアを発行するものがある（例えば、特許文献２参照）。
【先行技術文献】
【特許文献】
【０００３】
【特許文献１】特開２００９−７６１４２号公報
【特許文献２】特開２０１２−１９８９７０号公報
【発明の概要】
【発明が解決しようとする課題】
【０００４】
従来の構成では、印刷画像等が異なる複数のメディアを発行する場合、記録データの指定や印刷画像の指定は個別の設定項目となっているため、他のメディアの内容を誤って指定してしまう可能性がある。しかし、設定項目の内容だけでは印刷画像や記録データの詳細がわからず、実際に発行されたメディアを調べないと間違いに気づき難かった。
【０００５】
本発明は、上述した事情に鑑みてなされたものであり、各メディアへ差し込み印刷を可能にしつつ印刷内容をメディア発行前に容易に確認することができる制御装置、メディア処理装置、電子機器の制御方法および制御プログラムを提供することを目的とする。
【課題を解決するための手段】
【０００６】
上記目的を達成するために、本発明は、電子機器を制御して、データを記録可能なメディアに対し、データ記録と印刷を含む発行処理を実行させる制御装置において、前記メディア毎に差し込み印刷する印刷内容を指定する発行内容指定データを取得する情報取得部と、前記発行内容指定データに基づいて発行対象の前記メディアに差し込み印刷する印刷内容を特定し、特定した印刷内容と、前記メディアに記録する記録データとの組み合わせを示すイメージ画像を表示させる表示制御部と、前記発行処理が指示された場合に、前記表示制御部が特定した印刷内容と前記記録データとの前記組み合わせとなるようにデータ記録と印刷とを実行させる発行処理実行部とを備えることを特徴とする。
この構成によれば、発行対象のメディアに差し込み印刷する印刷内容と、そのメディアに記録する記録データとの組み合わせを示すイメージ画像が表示され、発行処理が指示された場合に、その組み合わせとなるようにデータ記録と印刷とが実行される。これによって、メディアへ差し込み印刷を可能にしつつ、印刷内容をメディア発行前に容易に確認することできる。従って、印刷内容の指定を誤ったままメディアを発行してしまう事態を避けることができる。
【０００７】
また、上記構成において、前記表示制御部は、前記発行処理の指示を受け付け可能な操作画面内に、前記イメージ画像を表示させるようにしても良い。この構成によれば、発行処理の指示を受け付ける直前に、発行対象のメディアに対する印刷画像と記録データとの組み合わせをユーザーに提示することができる。これによって、指定を誤ったままメディアを発行してしまう事態を効率よく避けることが可能になる。
【０００８】
また、上記構成において、前記表示制御部は、前記イメージ画像として、差し込み印刷した場合の印刷イメージ画像と、前記記録データのファイル構造とを表示させるようにしても良い。この構成によれば、ユーザーが印刷内容と記録内容の詳細を簡易に確認することができる。
【０００９】
また、上記構成において、前記発行内容指定データは、少なくとも複数の前記メディアに差し込み印刷する文字情報を含むテキストファイル形式のデータにしても良い。この構成によれば、ユーザーが容易に作成することができ、この発行内容指定データの記憶に要するデータ量も少なくて済む。
【００１０】
また、上記構成において、前記発行内容指定データは、差し込み印刷する印刷内容に対応する文字情報と、前記記録データの記憶先に対応する文字情報とをひとまとめにしたテキストデータ群を、所定順で記述したデータであるようにしても良い。この構成によれば、一枚のメディアの発行内容が集約され、データを手作業で作成する場合の入力ミス等による間違いを低減することができる。
【００１１】
また、上記構成において、前記情報取得部は、複数の前記メディアに共通して記録又は印刷させる共通情報の指定を受け付け可能に構成され、前記発行内容指定データは、前記メディア毎に個別で記録又は印刷させる個別情報を指定する情報を含み、前記発行処理実行部は、前記共通情報の指定を受け付けた場合に、指定された共通情報と、前記発行内容指定データによって個別に指定される個別情報とを含めるようにデータ記録又は印刷を実行させるので、複数のメディアに差し込み印刷とデータ記録を行う構成で、各メディアで共通の情報を記録しつつメディア毎に異なる個別情報を容易に記録することが可能になる。
【００１２】
また、本発明は、データを記録可能なメディアに対し、データ記録と印刷とを含む発行処理を実行するメディア処理装置において、前記メディア毎に差し込み印刷する印刷内容を指定する発行内容指定データを取得する情報取得部と、前記発行内容指定データに基づいて発行対象の前記メディアに印刷する印刷内容を特定し、特定した印刷内容と、前記メディアに記録する記録データとの組み合わせを示すイメージ画像を表示させる表示制御部と、前記発行処理が指示された場合に、前記表示制御部が特定した印刷内容と前記記録データとの前記組み合わせとなるようにデータ記録と印刷とを実行する発行処理実行部とを備えることを特徴とする。
この構成によれば、メディア処理装置によって、発行対象のメディアに差し込み印刷する印刷内容と、そのメディアに記録する記録データの組み合わせを示すイメージ画像を表示させ、発行処理が指示された場合に、その組み合わせとなるようにデータ記録と印刷とが実行されるので、メディアへ差し込み印刷を可能にしつつ、印刷内容をメディア発行前に容易に確認することでき、印刷内容の指定を誤ったままディスクを発行してしまう事態を避けることができる。
【００１３】
また、本発明は、データを記録可能なメディアに対し、データ記録と印刷とを含む発行処理を実行する電子機器の制御方法において、前記メディア毎に差し込み印刷する印刷内容を指定する発行内容指定データを取得する取得ステップと、前記印刷画像指定データに基づいて発行対象の前記メディアに印刷する印刷内容を特定し、特定した印刷内容と、前記メディアに記録する記録データとの組み合わせを示すイメージ画像を表示させる表示ステップと、前記発行処理が指示された場合に、特定した印刷内容と前記記録データとの前記組み合わせとなるようにデータ記録と印刷とを実行させる発行ステップとを実行することを特徴とする。
この制御方法によれば、発行対象のメディアに差し込み印刷する印刷内容と、そのメディアに記録する記録データとの組み合わせを示すイメージ画像を表示させ、発行処理が指示された場合に、その組み合わせとなるようにデータ記録と印刷とが実行されるので、メディアへ差し込み印刷を可能にしつつ、印刷内容をメディア発行前に容易に確認することができ、印刷内容の指定を誤ったままディスクを発行してしまう事態を避けることができる。
【００１４】
また、本発明は、電子機器を制御して、データを記録可能なメディアに対し、データ記録と印刷とを含む発行処理を実行させるコンピューターにより実行される制御プログラムにおいて、前記コンピューターを、前記メディア毎に差し込み印刷する印刷内容を指定する発行内容指定データを取得する情報取得部と、前記発行内容指定データに基づいて発行対象の前記メディアに印刷する印刷内容を特定し、特定した印刷内容と、前記メディアに記録する記録データとの組み合わせを示すイメージ画像を表示させる表示制御部と、前記発行処理が指示された場合に、前記表示制御部が特定した印刷内容と前記記録データとの前記組み合わせとなるように、前記電子機器にデータ記録と印刷とを実行させる発行処理実行部として機能させることを特徴とする。
この構成によれば、この制御プログラムによって、上記制御装置の各構成を実現することができる。
【発明の効果】
【００１５】
本発明によれば、メディアへ差し込み印刷を可能にしつつ、印刷内容をメディア発行前に容易に確認することできる。
【図面の簡単な説明】
【００１６】
【図１】第１実施形態のメディア処理装置の機能構成を示した図である。
【図２】発行内容指定ファイルの具体例を表形式で示した図である。
【図３】第２発行処理を示すフローチャートである。
【図４】印刷内容確認画面の具体例を示した図である。
【図５】組み合わせ確認画面の具体例を示した図である。
【図６】第２実施形態の発行内容指定ファイルの具体例を表形式で示した図である。
【図７】記録データ確認画面の具体例を示した図である。
【図８】容量表示領域の変形例を示した図である。
【図９】印刷内容確認画面の具体例を示した図である。
【発明を実施するための形態】
【００１７】
以下、図面を参照して本発明の実施形態について説明する。
＜第１実施形態＞
図１は、第１実施形態のメディア処理装置の機能構成を示した図である。このメディア処理装置１は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ（登録商標））等のディスク型光学記録媒体であるディスク（メディア）を処理対象とした処理システムである。
メディア処理装置１は、ディスクにデータ記録と画像印刷とを行う複合型の電子機器であるパブリッシャー（メディア発行装置）２と、パブリッシャー２を制御するホスト装置（制御装置）３とを備えている。パブリッシャー２とホスト装置３とは、単一のＵＳＢ（Ｕｎｉｖｅｒｓａｌ  Ｓｅｒｉａｌ  Ｂｕｓ）ケーブル（通信ケーブル）４を介して接続され、ＵＳＢ規格に従ってデータ通信を行う。
パブリッシャー２は、ホスト装置３からデータ転送されたデータ（イメージファイル、印刷データおよび搬送制御データ）に従って、複数枚のディスクを順次処理していく。
【００１８】
詳述すると、パブリッシャー２は、ホスト装置３と接続するためのＵＳＢケーブル４をつなぐＵＳＢハブ１１と、複数枚のディスクを各々収容可能な４つのスタッカー１２と、ディスクの記録面に対して書き込み処理を行う２台のディスクドライブ１３と、記録面と反対側に設けられるレーベル面に対して印刷処理を行うディスクプリンター１４と、スタッカー１２とディスクドライブ１３とディスクプリンター１４との間でディスクを搬送するオートローダー１５とを備えている。
【００１９】
ＵＳＢハブ１１は、ホスト装置３とパブリッシャー２内の複数のデバイス（２台のディスクドライブ１３、ディスクプリンター１４およびオートローダー１５）とを通信接続するための通信インターフェースであり、ホスト装置３および各デバイスがケーブル接続されるＵＳＢインターフェース（通信インターフェース）１６，１７と、デバイスの接続検出や信号の分配等を行うＵＳＢハブコントローラー１８とを備えている。
ＵＳＢハブ１１は、ホスト装置３からデータ転送されたデータを各デバイスに出力することにより、各ディスクドライブ１３に、受信したイメージファイルを順次出力し、ディスクプリンター１４に、受信した印刷データを順次出力し、オートローダー１５に、受信した搬送制御データを順次出力する。
【００２０】
ホスト装置３は、一般的なパーソナルコンピューター等を利用可能であり、パブリッシャー２との通信を行うＵＳＢインターフェース（通信インターフェース）２０と、キーボードやマウス等を有する入力部２１と、ディスプレイ等を有する表示部２２と、各部を制御する制御部２３と、制御プログラム等の各種データを書き込みおよび読み出し可能なハードディスク装置又はフラッシュメモリドライブ等からなる記憶装置（記憶部）２４とを備えている。
制御部２３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のハードウェアにより構成されている。そして、ホスト装置３に、パブリッシャー２用の管理アプリケーション３１およびドライバーソフト３２に対応する各種データをインストールすることにより、ホスト装置３をパブリッシャー２の制御装置として機能させることができる。
【００２１】
パブリッシャー２用のドライバーソフト３２は、統括制御部４１と、データ処理部４２と、印刷データ生成部４３と、２つのドライブ制御部４４と、プリンター制御部４５と、ローダー制御部４６とを備えている。
統括制御部４１は、メディア処理装置１の各部の情報や処理設定を記憶するとともに、ディスクに対する一連の処理（書き込みや印刷を行う発行処理等）をスケジューリングし、パブリッシャー２の各部の動作手順を制御する。
統括制御部４１は、この制御により、２台のディスクドライブ１３、ディスクプリンター１４およびオートローダー１５を、互いに干渉させることなく効率的に動作させる。
【００２２】
データ処理部４２は、ディスクに書き込めるアーカイブファイル形式のイメージファイル（例えば、ＩＳＯファイル）を生成し、また、記憶済みディスクから読み出したイメージファイルを複数のファイルに変換して記憶装置２４に記憶させる。
上記イメージファイルは、記憶対象に指定されたデータ（記憶装置２４に記憶された一又は複数のファイルや、ディスクから読み出した一又は複数のファイル）を含むように生成されている。このイメージファイルをディスクに書き込む場合には、このイメージファイルがパブリッシャー２に送信され、ディスクに書き込まれる。
【００２３】
印刷データ生成部４３は、ディスクのレーベル面に印刷するための印刷データ（例えばＰＲＮファイル）を生成する。この印刷データは、ホスト装置３を操作するユーザーに指定された印刷画像（或いは作成された印刷画像）に基づいて生成される。
各ドライブ制御部４４は、統括制御部４１のスケジューリングに則ってパブリッシャー２の各ディスクドライブ１３に対してイメージファイルを順次出力して、各ディスクドライブ１３の書込み処理を制御する。
プリンター制御部４５は、統括制御部４１のスケジューリングに則ってパブリッシャー２のディスクプリンター１４に対して印刷データを順次出力して、ディスクプリンター１４の印刷処理を制御する。
ローダー制御部４６は、統括制御部４１のスケジューリングに則って搬送制御データを生成し、これをパブリッシャー２のオートローダー１５に順次出力して、オートローダー１５の搬送処理を制御する。
【００２４】
パブリッシャー２用の管理アプリケーション３１は、ユーザーに対し、ＧＵＩ（Ｇｒａｆｉｃａｌ  Ｕｓｅｒ  Ｉｎｔｅｒｆａｃｅ）を提供するアプリケーションであり、表示部２２に操作画面（ＧＵＩ画面）等の各種画面を表示させる。具体的には、管理アプリケーション３１は、情報取得部５１と、情報処理部５２と、表示制御部５３とを備えている。
情報取得部５１は、ドライバーソフト３２から、各デバイスの情報（ディスクプリンター１４のインク残量情報や、各スタッカー１２の管理情報（ディスクの積載量や種類）と、各処理デバイスの動作情報）を取得し、また、ホスト装置３とパブリッシャー２とのデータ転送経路の経路情報（ドライバーソフト３２、通信インターフェース２０およびＵＳＢケーブル４のそれぞれにおける各転送モードへの対応情報）等を取得する。
さらに、情報取得部５１は、記憶装置２４或いは入力部２１を介して、ホスト装置３のユーザー等が作成した、後述する発行内容特定ファイルを取得する。
【００２５】
情報処理部５２は、ＧＵＩを介して入力されたユーザー指示等に応じて各種の処理を実行する。これによって、情報処理部５２は、ユーザーの所定操作によりディスク発行処理を行うための操作画面や印刷イメージ等のイメージ画像を生成する画像生成部、表示制御部５３と協働して表示部２２に操作画面等を表示させる表示制御部、および、操作画面上に表示される各種操作ボタン（アイコンともいう）の操作を受け付け、この操作に対応する各種処理（発行処理を含む）を実行する処理実行部（発行処理実行部）等として機能する。
表示制御部５３は、情報処理部５２の制御の下、操作画面等の各種画面を表示部２２に表示させる。
【００２６】
本実施形態のメディア処理装置１は、スタッカー１２に複数枚のディスクを収容し、オートローダー１５によって、各ディスクをディスクドライブ１３とディスクプリンター１４とに搬送可能であり、これによって、複数枚のディスクに、データ記録と画像印刷を順次行い、複数枚の記録済みディスクを発行できる構成となっている。
このメディア処理装置１は、発行処理として、ホスト装置３を操作するユーザーが指定した記録データおよび印刷画像を、ユーザーが指定した枚数のディスクに記録・印刷する発行処理、つまり、ディスクの複製に適した発行処理（以下、「第１発行処理」と言う）を実行できるとともに、ディスク毎に、指定された記録データを個別に記録し、且つ、指定された印刷画像を差し込み印刷する「差し込み印刷対応の発行処理」（以下、「第２発行処理」と言う）を選択的に実行することができる。上記第１発行処理は、従来の発行処理を適用すれば良く、以下、第２発行処理について説明する。
【００２７】
第２発行処理を行うには、ディスク毎の発行内容（印刷画像と記録データ）を指定する発行内容指定ファイル（発行内容指定データ）ＦＡが必要になる。この発行内容指定ファイルＦＡは、記憶装置２４等に記憶されており、ホスト装置３の情報取得部５１は、ユーザーから指定された記憶場所から読み出すことによって、情報取得部５１に取得される。
この発行内容指定ファイルＦＡは、ディスク毎に差し込み印刷する印刷内容を指定する印刷指定情報と、ディスク毎に記録する記録データ（個別データ）を指定する記録指定情報とを、ディスク毎の組み合わせで順に記述したテキストファイルである。
より具体的には、発行内容指定ファイルＦＡは、一枚のディスクに対応する印刷指定情報と記録指定情報との組み合わせが、１行のデータに集約するように「，（カンマ）」区切りで作成され、先頭行に識別子が記述されている。これにより、発行しようとする全てのディスクの発行内容が記述されたＣＳＶ（Ｃｏｍｍａ−Ｓｅｐａｒａｔｅｄ  Ｖａｌｕｅｓ）ファイル形式のデータに形成されている。このため、例えば、発行対象のディスクが１０枚の場合は１１行のデータのＣＳＶファイルが形成される。
【００２８】
図２は発行内容指定ファイルＦＡの具体例を表形式で示した図である。なお、先頭行が識別子であり、以後各行が一枚のディスクに対応するレコードを示しており、このレコードを構成する各データ項目（フィールド）が、「，（カンマ）」区切りで記述された内容を示している。
図２に示すように、発行内容指定ファイルＦＡの先頭行には、識別子として、「Title」、「Subtitle」、「Lecturer/Training Provider」、「Host Location」、「Date」等が記述され、以後各行には、行頭から順に、印刷指定情報（図２中、メーカー、名前、グレード、車両形式、ボディカラー、排気量の各々に対応する印刷文字）と、記録指定情報（記録データの記憶先（パス名））とが記述されている。なお、各行の先頭に連番で表示される番号（以下、「ディスク番号と言う」）は、発行内容指定ファイルＦＡを表形式で示すソフトウェアによって自動に表示された番号である。
より具体的には、この発行内容指定ファイルＦＡでは、ディスク番号「121001」に対応するディスクには、差し込み印刷の内容として「Coaching and Consultation」、「Delegation: Developing Reliable Leaders」、「ABCD Workshops, Inc.」、「ABCD Training Center, CA」および「10/1/2012」が順に記述され、データ面への記録内容としては、記憶先（パス名）を示す「d:\data\121001」が記述される。また、ディスク番号「121002」に対応するディスクには、差し込み印刷の内容として「Coaching and Consultation」、「Risk Management - Why and How」、「ABCD Workshops, Inc.」、「ABCD Training Center, CA」および「10/1/2012」が順に記述され、データ面への記録内容としては、記憶先を示す「d:\data\121002」が記述される。
【００２９】
つまり、発行内容指定ファイルＦＡには、印刷指定情報として、ディスクに差し込み印刷する文字列（例えば、「Coaching and Consultation」、「Delegation: Developing Reliable Leaders」、「ABCD Workshops, Inc.」、「ABCD Training Center, CA」および「10/1/2012」）が記述されており、記憶指定情報として、ディスクに記録する記録データの保存場所（例えば、記憶装置２４内の場所）が記述されている。
この発行内容指定ファイルＦＡは、ユーザーが直接作成しても良いし、又は、ＣＳＶファイルへの変換機能を有するソフトウェアを使用してユーザーが作成しても良い。
このように、ディスク毎の発行内容を行単位で順に記載するため、発行内容指定ファイルＦＡの作成が容易である。また、発行内容指定ファイルＦＡはテキストファイル形式のＣＳＶデータであるため、汎用のソフトウェアを利用して作成でき、且つ、データ容量も少なくて済む。
なお、この発行内容指定ファイルＦＡには、図２に示すように、ディスク１０枚分の発行内容が記述されている。
【００３０】
図３は、第２発行処理を示すフローチャートである。
第２発行処理は、制御部２３が備える情報取得部５１、情報処理部５２および表示制御部５３等の機能により実行される。
制御部２３は、入力部２１のユーザー操作等により、パブリッシャー２用の管理アプリケーション３１の実行が指示されると、記憶装置２４に記録された管理アプリケーション３１のプログラムを実行し、情報取得部５１、情報処理部５２および表示制御部５３等の機能を実現し、表示部２２に操作画面ＧＭを表示させる（ステップＳ１）。
この操作画面ＧＭは、少なくとも発行内容指定ファイルＦＡを用いてデータを自動挿入する「自動データ挿入」ボタン（後述する図４に符号ＢＡで示す操作ボタン）を有し、「自動データ挿入」ボタンの操作等を介して、記憶装置２４から発行内容指定ファイルＦＡを読み出し、差し込み印刷用の発行内容指定ファイルＦＡを取得する（ステップＳ２）。この
発行内容指定ファイルＦＡの読み出し操作については、後段で詳述する。
なお、差し込み印刷のレイアウトを設定するひな型（テンプレート）は、ユーザーによって予め設定されているものとする。
【００３１】
続いて、制御部２３は、取得した発行内容指定ファイルＦＡに基づいて発行対象のディスクに差し込み印刷する印刷内容と、記録するデータの組み合わせを特定し（ステップＳ３）、この特定結果に基づいて操作画面ＧＭを更新させる（ステップＳ４）。
図４は、この場合の操作画面ＧＭの具体例を示した図である。この操作画面ＧＭは、ディスクのレーベル面のレイアウトに関する操作画面（以下、「印刷内容確認画面」と言う）ＧＭ１を表示した場合を示している。
図４に示すように、この印刷内容確認画面ＧＭ１は、大別すると、作業内容の選択指示（「ディスク」、「レーベル」、「発行」）を受け付ける作業内容選択領域ＡＲ１と、レーベル面のイメージ画像を表示する印刷イメージ表示領域ＡＲ２と、印刷イメージ表示領域ＡＲ２内のイメージ画像の各種設定を行う設定表示領域ＡＲ３とを備えている。また、上述した「自動データ挿入」ボタンＢＡは、設定表示領域ＡＲ３内に表示されている。
【００３２】
作業内容選択領域ＡＲ１において、「ディスク」で示す画像Ｇ１は、ディスクの記録面の記録内容に関する操作画面（以下、「記録データ確認画面」と言う）ＧＭ２への切り替えを指示する操作ボタンとして機能し、「レーベル」で示す画像Ｇ２は、図４に示す印刷内容確認画面ＧＭ１への切り替えを指示する操作ボタンとして機能する。
また、「発行」で示す画像Ｇ３は、記録内容および印刷内容の両方（組み合わせ）を確認する操作画面（以下、「組み合わせ確認画面」と言う）ＧＭ３への切り替えを指示する操作ボタンとして機能する。
また、上記「ディスク」、「レーベル」、「発行」で示す画像Ｇ１〜Ｇ３のうち、現在表示中の操作画面ＧＭ１〜ＧＭ３に対応する１つの画像Ｇ１〜Ｇ３は、他の画像と色や濃度等が異なる態様で表示され、現在表示中の操作画面を、ユーザーに通知する。なお、図４では、「レーベル」で示す画像Ｇ２が他の画像Ｇ１およびＧ３よりも濃い色で表示されている。
【００３３】
印刷イメージ表示領域ＡＲ２には、ステップＳ３で特定した印刷内容のイメージ画像が表示される。例えば、「レーベル」で示す画像Ｇ２が選択操作された場合、制御部２３は、例えば、発行内容指定ファイルＦＡ（図２参照）の先頭のディスク（ディスク番号「121001」）に対応する印刷指定情報に基づき作成した印刷イメージを印刷イメージ表示領域ＡＲ２に表示させる。
なお、発行内容指定ファイルＦＡから、いずれの印刷指定情報を読み込むかは、ユーザーが適宜に選択することができる。
【００３４】
発行内容指定ファイルＦＡの読み出し操作について説明する。
図４に示す印刷内容確認画面ＧＭ１において、ユーザーが「自動データ挿入」ボタンＢＡを操作すると、制御部２３は、同図４に示す自動データ挿入画面ＧＭ６をポップアップ表示させる。
自動データ挿入画面ＧＭ６には、発行内容指定ファイルＦＡの読み出しを指示する操作ボタン（「ＣＳＶ指定」）ＢＢ、印刷内容（文字列）を指定する指定領域（「自動データ」と「列名」）ＡＲ１５等が表示され、入力部２１を介して操作されることによって、制御部２３は、ユーザーに指示された発行内容指定ファイルＦＡの中から指定領域ＡＲ１５に対応するデータを読み出し、印刷イメージ表示領域ＡＲ２内に、読み出したデータに対応する画像を表示させる。
より具体的に説明すると、指定領域ＡＲ内の「自動データ」内に表示される「差し込み」を選択し、文字列を示す「列名」で、図２に示すフィールド「Title」を選ぶことによって、発行内容指定ファイルＦＡ内の「Coaching and Consultation」が、印刷内容確認画面ＧＭ１の印刷イメージ表示領域ＡＲ２に表示される。
【００３５】
また、図９では、「自動データ」内には、「差し込み」以外に、日付や時刻等を自動入力するための「日付」、「時刻」等の項目が表示され、例えば、「日付」が選択されると、印刷イメージ表示領域ＡＲ２に日付を自動入力させることができる。
なお、「自動データ挿入」ボタンＢＡを操作すると、図４および図９に示す自動データ挿入画面ＧＭ６をポップアップ表示させ、自動データ挿入画面ＧＭ６を介して、発行内容指定ファイルＦＡの読み出し（「差し込み」）や、それ以外のデータの入力の指示を受け付ける場合を説明したが、これに限らない。例えば、「自動データ挿入」ボタンＢＡを操作すると、発行内容指定ファイルＦＡの読み出し（「差し込み」）の指示だけを受け付けるようにしても良い。
【００３６】
図４は、ディスク番号「121001」に対応する印刷イメージを表示した場合を示している。つまり、予め定めた差し込みレイアウト（ひな型（テンプレート））に従って、発行内容指定ファイルＦＡのディスク番号「121001」に対応する文字列（「Coaching and Consultation」、「Delegation: Developing Reliable Leaders」、「ABCD Workshops, Inc.」、「ABCD Training Center, CA」および「10/1/2012」）を配置した画像を示している。なお、各文字列を、差し込みレイアウトのいずれに配置するかは、ユーザーが予め指定しているものとする。
また、印刷イメージ表示領域ＡＲ２内のイメージ画像は、ディスクのレーベル面のイメージ画像上に、印刷内容のテキストデータの画像を重ねた画像であり、ユーザーの選択操作によって、所望のテキストデータに対応する画像を選択可能である。図４の例では、「Coaching and Consultation」を選択した状態を示している。
このように、印刷内容確認画面ＧＭ１では、印刷イメージに相当する画像を表示するので、ユーザーは印刷内容（文字列およびレイアウトを含む）を視覚で容易かつ正確に確認することができる。
【００３７】
設定表示領域ＡＲ３には、「自動データ挿入」ボタンＢＡの他に、選択された文字列（図４では、「ＢＢ」）の印刷設定（フォント、サイズ、文字色等）が表示される。また、設定表示領域ＡＲ３では、印刷設定（フォントやサイズや文字色、文字位置等）を変更するための各種項目が表示され、ユーザーの操作に応じてフォント等を変更可能に形成されている。
このようにして、ユーザーは、図４に示す印刷画像確認画面Ｇ１によって、差し込み印刷の内容を視覚で確認でき、フォント等の変更も行うことが可能である。
【００３８】
図３に戻り、ユーザー操作によって、作業内容選択領域ＡＲ１中の「ディスク」、「レーベル」および「発行」で示す画像Ｇ１〜Ｇ３のいずれかが選択されると（ステップＳ５）、制御部２３は、操作された画像Ｇ１〜Ｇ３に対応する画面表示に切り替える（ステップＳ６〜Ｓ８）。
この場合、「ディスク」で示す画像Ｇ１が選択されると（ステップＳ５；ディスク）、制御部２３は、操作画面ＧＭを、記録データ確認画面ＧＭ２に切り替える（ステップＳ６）。また、「レーベル」で示す画像Ｇ２が選択されると、制御部２３は、操作画面ＧＭを、上述した図４に示す印刷内容確認画面ＧＭ１に切り替える（ステップＳ７）。例えば、記録データ確認画面ＧＭ２が表示されている場合に、「レーベル」で示す画像Ｇ２が選択されると、印刷内容確認画面ＧＭ１へ表示を切り替える。
また、「発行」で示す画像Ｇ３が選択されると（ステップＳ５；発行）、制御部２３は、操作画面ＧＭを、組み合わせ確認画面ＧＭ３に切り替える（ステップＳ８）。
【００３９】
図５は、組み合わせ確認画面ＧＭ３の具体例を示した図である。なお、上述した印刷内容確認画面ＧＭ１と同様の部分を同一の符号を付して示し、重複する説明は省略する。
組み合わせ確認画面ＧＭ３は、大別すると、作業内容選択領域ＡＲ１と、記録面に記録される記録データのイメージ画像を表示する記録イメージ表示領域ＡＲ５と、レーベル面に印刷されるイメージ画像を表示する印刷イメージ表示領域ＡＲ６と、発行処理を指示する発行処理ボタンＡＲ７と、発行処理の各種設定を行う設定表示領域ＡＲ８とを備えている。
記録イメージ表示領域ＡＲ５には、ステップＳ３で特定したいずれかのディスク番号に対応する記録データ（個別データ）のファイル構造（ファイル／ディレクトリの全ての階層構造）のイメージ画像が表示され、少なくともファイル名、ディレクトリ名が表示される。
【００４０】
図５の例では、最上位の階層のファイル／ディレクトリ構造を示しており、ユーザーによって、任意のディレクトリが選択操作されると、そのディレクトリ内のファイル構造の詳細を示すイメージ画像が表示される。
ファイル構造のうち、特にファイル名やディレクトリ名は、記録データの内容を知る手がかりとなるため、このイメージ画像によって、ユーザーは記録データの詳細を視覚で容易に確認することが可能になる。
【００４１】
印刷イメージ表示領域ＡＲ２には、ステップＳ３で特定したいずれかのディスク番号に対応する印刷内容のイメージ画像が表示される。このイメージ画像は、ディスクのレーベル面上に印刷文字を描いた印刷イメージ画像であり、図４に示した印刷内容確認画面ＧＭ１の場合（印刷イメージ表示領域ＡＲ２内のイメージ画像の場合）と異なり、文字列（テキストデータ）を選択できない画像となっている。
【００４２】
上述した記録イメージ表示領域ＡＲ５は、操作画面ＧＭ（組み合わせ確認画面ＧＭ３）の左側領域に配置され、上述した印刷イメージ表示領域ＡＲ２は、操作画面ＧＭ（組み合わせ確認画面ＧＭ３）の右側領域に配置される。このため、同じディスクの記録面に記録される記録データのイメージ画像と、レーベル面に印刷されるイメージ画像とが並べて表示され、ユーザーが視覚で容易に確認することができる。つまり、ユーザーは、記録データと印刷画像の組み合わせを視覚で容易に確認することができる。
設定表示領域ＡＲ３Ａには、発行処理の各種設定に対応するディスクの供給元や排出先、書き込み速度等の設定が表示され、ユーザーの操作に応じて発行処理の設定を視覚で確認でき、設定を変更することも可能である。
また、発行処理ボタンＡＲ７は、ユーザーからの発行指示を受け付ける操作ボタンである。
【００４３】
図３に戻り、組み合わせ確認画面ＧＭ３中の発行処理ボタンＡＲ７が操作されると（ステップＳ９；ＹＥＳ）、制御部２３は、ステップＳ３で特定した、差し込み印刷する印刷画像と記録データとの組み合わせ、つまり、組み合わせ確認画面ＧＭ３に表示される組み合わせで画像印刷とデータ記録とを実行させる（ステップＳ１０）。
これにより、ユーザーは、記録データと印刷画像の組み合わせを視覚で確認した後に、発行処理を実行することができる。従って、記録データの指定や印刷画像の指定を誤った場合は、上記の組み合わせ確認画面ＧＭ３にてユーザーが容易に気づくことができ、記録データの指定又は印刷画像の指定を誤ったままディスクを発行してしまう事態を避けることができる。
【００４４】
このようにして、発行内容指定ファイルＦＡに基づく一枚のディスクの発行が終了すると、この発行内容指定ファイルＦＡに基づく次のディスクの発行が行われる。この場合、ユーザーが一枚のディスクを発行する毎に、次のディスクに対応する上記組み合わせ確認画面ＧＭ３を表示し、発行処理ボタンＡＲ７が操作される毎に次のディスクを発行するようにしても良いし、ユーザーが一枚のディスクについて印刷画像と記録データ（個別データ）との組み合わせを確認した後は、上記組み合わせ確認画面ＧＭ３を表示させることなく残りのディスクを順に発行するようにしても良い。つまり、ユーザーの操作に従って、ディスク毎に発行処理を受け付けるようにしても良いし、複数枚のディスクの発行をまとめて受け付けるようにしても良い。
【００４５】
なお、図５に示すように、組み合わせ確認画面ＧＭ３には、記録データの書き込みの可否が入力されるチェックボックスＣＫ１と、レーベル印刷の可否が入力されるチェックボックスＣＫ２とが表示される。そして、同図５に示すように、両方のチェックボックスＣＫ１、ＣＫ２がチェックされている場合に、データ記録と画像印刷の両方が実行される。一方、いずれかのチェックが外されている場合には、そのチェックに対応するデータ記録又は画像印刷は実行されない。
また、記録データ確認画面ＧＭ２には、図５の左側領域に表示される画面（記録イメージ表示領域ＡＲ５）と略同様の画像が表示される。つまり、記録データ確認画面ＧＭ２には、ステップＳ３で特定した、いずれか１つのディスク番号に対応する記録データ（個別データ）のファイル構造（ファイル／ディレクトリの全ての階層構造）のイメージ画像が表示される。この記録データ確認画面ＧＭ２を表示させることにより、ユーザーは記録データの詳細を確認することが可能である。
【００４６】
以上説明したように、本実施の形態では、図３に示すように、ディスク毎に差し込み印刷する印刷画像等を指定する発行内容指定ファイルＦＡを取得し（ステップＳ１）、このファイルＦＡに基づいて、発行対象のディスクに差し込み印刷する印刷内容を特定し（ステップＳ２）、特定した印刷内容と、前記ディスクに記録する記録データとの組み合わせを示すイメージ画像（図５に示す組み合わせ確認画面ＧＭ３）を表示させ（ステップＳ８）、発行処理が指示された場合に、前記組み合わせとなるようにデータ記録と画像印刷とを実行するので（ステップＳ１０）、ディスクへ差し込み印刷を可能にしつつ、ユーザーがディスク毎に差し込む印刷内容と記録データの組み合わせをディスク発行前に視覚で容易に確認することができる。このため、ユーザーは、組み合わせを確認後に発行処理を指示することによって、印刷内容の指定を誤ったままディスクを発行してしまう事態を避けることができる。
【００４７】
また、本実施形態では、図５に示すように、発行処理の指示を受け付け可能なＧＵＩ画面である組み合わせ確認画面ＧＭ３内に、上記組み合わせを示すイメージ画像を表示させるので、発行処理の指示を受け付ける直前に、発行対象のディスクに対する印刷画像と記録データとの組み合わせをユーザーに提示することができる。これによって、指定を誤ったままディスクを発行してしまう事態を効率よく避けることが可能になる。
また、イメージ画像として、差し込み印刷した場合の印刷イメージ画像と、記録データのファイル構造とを表示させるので、ユーザーが印刷内容と記録内容の詳細を簡易に確認することができる。
【００４８】
また、発行内容指定ファイルＦＡは、少なくとも複数のディスクに差し込み印刷する印刷内容を指定するテキストファイル形式のデータであるため（図２参照）、ユーザーが容易に作成することができ、このファイルＦＡの記憶に要するデータ量も少なくて済む。
さらに、発行内容指定ファイルＦＡは、差し込み印刷する印刷内容（文字列）と、記録データの記憶先（パス名）に対応する文字情報とをひとまとめにしたテキストデータ群を、所定順で記述したデータであるため、一枚のディスクの発行内容が集約され、ファイルＦＡを手作業で作成する場合の入力ミス等による間違いを低減することができる。また、発行内容指定ファイルＦＡをＣＳＶファイル形式としたので、汎用のソフトウェアを用いて容易に作成・編集することができる。
【００４９】
また、発行内容指定ファイルＦＡ内の記録データの記憶先（パス名）に、ディスク毎に異なる個別データを指定するので、ディスク毎に異なるデータを記録させることができる。
【００５０】
＜第２実施形態＞
第２実施形態は、ディスクの記録面に、複数のディスクで共通の情報（以下、「共通情報」）と言う）を記録するとともに、ディスク毎に異なる個別の情報（以下、「個別情報」と言う）を記録する点が、第１実施形態と異なっている。
なお、本実施形態では、卒業アルバムをディスクで提供する場合を例に説明しており、共通情報は、全生徒の卒業アルバムに入れる写真データ（以下、「共通写真データ」と言う）であり、個別情報は、生徒毎の写真データ（以下、「個別写真データ」と言う）である。
【００５１】
図６は、発行内容指定ファイルＦＡの具体例を表形式で示した図である。ここで、この図６は、発行内容指定ファイルＦＡを読み込んだ後に表示される差し込みデータ管理画面ＧＭ２１である。
この差し込みデータ管理画面ＧＭ２１には、同図６に示すように、発行内容指定ファイルＦＡの参照先や更新を指示する各種操作ボタンが表示され、ユーザーの所定操作により、ユーザーが指定する発行内容指定ファイルＦＡを読み込み（参照し）、また、別の発行内容指定ファイルＦＡを読み込む（更新する）ことができる。
発行内容指定ファイルＦＡの各行には、第１実施形態と同様に、一枚のディスクに差し込み印刷する印刷内容を指定する印刷指定情報（図６の例では、ディスク配布先の生徒の氏名を示す「ｎａｍｅ」）と、そのディスクに個別に記録する個別写真データを指定する記録指定情報（個別写真データの記憶先を示す「path」）とが１行のデータに集約するように「，（カンマ）」区切りで記述されている。
【００５２】
さらに、差し込みデータ管理画面ＧＭ２１では、同図６に示すように、読み込んだ発行内容指定ファイルＦＡの各行の先頭に、チェックボックスＣＫ１１が表示される。各チェックボックスＣＫ１１は、ユーザー操作に応じて選択的にチェックされる。チェックされたチェックボックスＣＫ１１に対応するデータ（個別写真データ）は、差し込み印刷するデータ「差し込みデータ」として選択される。一方、チェックされないチェックボックスに対応するデータは、「差し込みデータ」から除外される。
【００５３】
ディスクの記録面に記録するデータの指定を行う場合、ユーザーは所定操作を行って記録データ確認画面ＧＭ２を表示させる。
図７は、記録データ確認画面ＧＭ２の具体例を示した図である。
記録データ確認画面ＧＭ２は、ディスクの記録面の記録内容に関する操作画面であり、大別すると、作業内容の選択指示（「ディスク」、「レーベル」、「発行」）を受け付ける作業内容選択領域ＡＲ１と、記録面に記録される記録データのイメージ画像を表示する記録イメージ表示領域ＡＲ５と、記録面に記録される記録データの参照先（記憶先）を表示する記憶先表示領域ＡＲ５Ａと、発行内容指定ファイルＦＡを用いてデータを自動挿入する「自動データ挿入」ボタンＢＡと、ディスクの容量を表示する容量表示領域ＡＲ１０とを備えている。
なお、記録データ確認画面ＧＭ２は、第１実施形態でも説明したように、各操作画面ＧＭで表示される作業内容選択領域ＡＲ１内の「ディスク」で示す画像Ｇ１が選択操作された場合に表示される操作画面である。
【００５４】
共通写真データの指定は、ユーザーが入力部２１を介して共通写真データの参照先（記憶先）を指定することによって行われる。図７では、記録イメージ表示領域ＡＲ５内の３つの共通写真データ（破線αで囲う３つのフォルダー）が、ユーザーが指定した共通写真データを示している。
また、ユーザーが入力部２１を介して「自動データ挿入」ボタンＢＡを操作すると、制御部２３は、同図７に示す自動データ挿入画面ＧＭ５をポップアップ表示させる。この自動データ挿入画面ＧＭ５には、発行内容指定ファイルＦＡの読み出しを指示する操作ボタン（「ＣＳＶ指定」）ＢＢ、ボリュームラベルを指定する指定領域ＡＲ１１、書き込みデータを指定する指定領域ＡＲ１２等が表示され、入力部２１を介して操作されることによって、制御部２３は、ユーザーに指示された読み出し先（記憶装置２４）から発行内容指定ファイルＦＡを読み出し、差し込み印刷用の発行内容指定ファイルＦＡを取得する（図３のステップＳ２に相当）。
【００５５】
この場合、制御部２３は、取得した発行内容指定ファイルＦＡに基づいて発行対象のディスクに差し込み印刷する印刷内容と、記録するデータとの組み合わせを特定し（図３のステップＳ３に相当）、この特定結果に基づいて操作画面ＧＭ（記録データ確認画面ＧＭ２）を更新させる（図３のステップＳ４に相当）。
この図７は、発行内容指定ファイルＦＡ、ボリュームラベルおよび書き込みデータが指定された後の記録データ確認画面ＧＭ２を示している。このため、記録イメージ表示領域ＡＲ５内には、指定された個別写真データ（図６に示す発行内容指定ファイルＦＡ内の「D:\temp\201209\OKA\member\maeshima」に格納される「Personal」フォルダー）が表示される。
このようにして、発行対象のディスクに対する共通写真データの指定と個別写真データの指定とを容易に行うことができる。
なお、この自動データ挿入画面ＧＭ５を表示し、かつ、発行内容指定ファイルＦＡ、ボリュームラベルおよび書き込みデータの指定を受け付ける上記処理は、第１実施形態でも同様に行うようにしても良い。
【００５６】
また、記録データ確認画面ＧＭ２の容量表示領域ＡＲ１０には、同図７に示すように、指定された記録データの総容量がバー表示される。このため、ユーザーは、ディスク内に記録可能な容量か否か、また、残りの記憶容量はどのくらい存在するかを視覚で容易に確認することができる。
なお、図７では、容量表示領域ＡＲ１０に、指定された記憶データ（共通写真データ、個別写真データ）の総容量を表示しているが、これに限らず、共通データ（共通写真データ）の容量と、個別データ（個別写真データ）の容量とを別々にバー表示するようにしても良い。
例えば、図８に示すように、共通情報（共通写真データ）の容量（図８中、「ＤＩＳＣの共通容量」）と、個別情報（個別写真データ）の容量とを別々にバー表示するとともに、個別情報については、発行対象の全てのディスクの最小容量（図８中、「個別最小容量」）と最大容量（図８中、「個別最大容量」とをバー表示するようにしても良い。また、同図８に示すように、個別情報の容量には、個別情報を示す情報（フォルダー名或いはディスク番号）を表示するようにしても良い。
【００５７】
次に、ディスクのレーベル面へ差し込む印刷の指定について説明する。ユーザーは、作業内容選択領域ＡＲ１内の「レーベル」で示す画像Ｇ２を操作することによって、印刷内容確認画面ＧＭ１を表示させる。
図９は、印刷内容確認画面ＧＭ１の具体例を示している。
この印刷内容確認画面ＧＭ１において、ユーザーが「自動データ挿入」ボタンＢＡを操作すると、制御部２３は、第１実施形態と同様に、同図９に示す自動データ挿入画面ＧＭ６をポップアップ表示させる。
【００５８】
図９の例では、指定領域ＡＲ内の「自動データ」内に表示される「差し込み」を選択し、文字列を示す「列名」で、図６に示すフィールド「name」を選ぶことによって、発行内容指定ファイルＦＡ内の「前島  一郎」が、印刷内容確認画面ＧＭ１の印刷イメージ表示領域ＡＲ２に表示されている。
なお、図９では、「自動データ」内の「タイトル」が選択されて、印刷イメージ表示領域ＡＲ２にタイトル「卒業アルバム」も表示された状態を示している。
【００５９】
その後、第１実施形態と同様に、ユーザーが「発行」で示す画像Ｇ３（図９参照）を選択して組み合わせ確認画面ＧＭ３（図５参照）を表示させることによって、差し込み印刷する印刷内容と記録内容（共通写真データと個別写真データ）との組み合わせを示すイメージ画像が表示される。これによって、ユーザーは、ディスク毎に差し込む印刷内容と記録データの組み合わせをディスク発行前に視覚で容易に確認することができる。そして、ユーザーが発行処理ボタンＡＲ７（図５参照）を操作することによって、その組み合わせでデータ記録と画像印刷とを実行させることができる。
【００６０】
本実施形態では、複数のディスクに共通して記録させる共通情報（共通写真データ）の指定を受け付け可能に構成し、発行内容指定ファイルＦＡは、ディスク毎に個別で記録又は印刷させる個別情報（個別写真データ）を指定する情報を含み、発行処理が指示された場合に、指定された共通情報と、発行内容指定ファイルＦＡによって個別に指定される個別情報とを含めるようにデータ記録を実行するので、第１実施形態と同様の効果に加え、複数のディスクに差し込み印刷とデータ記録を行う構成で、各ディスクで共通の情報を記録しつつディスク毎に異なる個別情報を容易に記録することが可能になる。
これにより、例えば、生徒毎に異なる写真を入れた卒業アルバムに相当するディスクを、学校の先生や一般事務職員等のコンピューターにそれほど詳しくない人でも容易に作成することが可能になる。
【００６１】
なお、上記実施の形態では、文字列を差し込み印刷する場合を説明したが、画像を差し込み印刷する場合にも適用することができる。この場合、図２に示す発行内容指定ファイルＦＡ中の、印刷文字に対応する文字列（テキストデータ）を、差し込み印刷する印刷画像を指定する文字列（例えば記憶先を示すテキストデータ）に置き換え、イメージ画像の表示時に、この文字列に基づいて印刷画像を特定し、イメージ画像を生成・表示すれば良い。
この場合も、発行内容指定ファイルＦＡを、差し込み印刷する印刷内容と、記録データの記憶先に対応する文字情報とをひとまとめにしたテキストデータ群を、所定順で記述したＣＳＶファイルとすることができる。従って、手作業による間違いを防ぐことができ、且つ、汎用のソフトウェアを用いて容易に作成・編集することができる。
【００６２】
また、発行内容指定ファイルＦＡをテキストファイル形式以外のデータとしても良い。要は、発行内容指定ファイルＦＡに基づいて発行対象のディスクに差し込み印刷する印刷内容を特定し、印刷内容と記録データとの組み合わせを表示できれば、ユーザーは、メディア毎に差し込む印刷内容と記録データの組み合わせを視覚で容易に確認することが可能である。
【００６３】
また、上記実施形態では、差し込み印刷する印刷イメージ画像と、記録する記録データのイメージ画像とを横並びで表示する場合を説明したが、これに限らず、縦並びに表示する等、表示レイアウトを変更しても良い。また、イメージ画像の内容も、印刷イメージ画像や、記録データのファイル構造に限らず、印刷内容および記録データの組み合わせが判る範囲で、印刷する文字列や、記録データのファイル名の組み合わせだけを表示するようにしても良い。
つまり、差し込み印刷する印刷画像と記録データとの組み合わせが判る範囲で、表示レイアウトや表示内容は適宜に変更が可能である。
【００６４】
また、第２実施形態では、ディスクの記録面に、複数のディスクで共通の共通情報とディスク毎に異なる個別情報とを容易に記録させる場合を説明したが、ディスクのレーベル面に、複数のディスクで共通の共通情報とディスク毎に異なる個別情報とを容易に記録（印刷）させる場合にも適用することができる。
【００６５】
また、本実施形態では、ディスクの記録面にデータ記録し、記録面の反対側に設けられたレーベル面に画像印刷するパブリッシャー２に使用する場合を説明したが、データ記録と画像印刷とが可能な様々なメディアに対し、データ記録と画像印刷を行うメディア発行装置に本発明を広く適用可能である。例えば、メディアは、ＳＤメモリーカード（通称、ＳＤカード）やテープメディア等のリムーバブルメディアを広く適用可能である。
【００６６】
また、パブリッシャー２とホスト装置３とが別体で構成されるメディア処理装置１に限らず、パブリッシャー２とホスト装置３とが一体した一体構造のメディア処理装置に本発明を適用しても良い。例えば、プリンター、コピー機、スキャナーが一体化した複合機（いわゆるプリンター複合機）に本発明を適用することが可能である。
【００６７】
さらに、本実施形態では、「差し込み印刷対応の発行処理」を含むＧＵＩを提供するための制御プログラムを、ホスト装置３の記憶装置２４に予め記憶しておく場合を説明したが、これに限らず、この制御プログラムを磁気記録媒体、光記録媒体、半導体記録媒体等のコンピューターが読み取り可能な記録媒体に格納し、コンピューターが記録媒体からこの制御プログラムを読み取って実行するようにしても良い。また、この制御プログラムを通信ネットワーク上の配信サーバー等からダウンロードできるようにしても良い。
また、上述した変形例によらず、メディア処理装置１、パブリッシャー２およびホスト装置３の装置構成や処理等について、本発明の要旨を変更しない範囲で適宜に変更が可能である。
【符号の説明】
【００６８】
１…メディア処理装置、２…パブリッシャー（メディア発行装置）、３…ホスト装置（制御装置）、２３…制御部、５１…情報取得部、５２…情報処理部（画像生成部、表示制御部、発行処理実行部）、５３…表示制御部、ＦＡ…発行内容指定ファイル（発行内容指定データ）、ＧＭ３…組み合わせ確認画面、ＡＲ５…記録イメージ表示領域、ＡＲ６…印刷イメージ表示領域、ＡＲ７…発行処理ボタン、ＡＲ８…設定表示領域。
【図１】
2014099221.tif 000003
【図２】
2014099221.tif 000004
【図３】
2014099221.tif 000005
【図４】
2014099221.tif 000006
【図５】
2014099221.tif 000007
【図６】
2014099221.tif 000008
【図７】
2014099221.tif 000009
【図８】
2014099221.tif 000010
【図９】
2014099221.tif 000011